(57)【要約】【課題】照明器具への取り付け時に器具内配線に干渉しにくく、かつ、カバーの外表面に陰影が生じにくい光源ユニットを提供する。【解決手段】光源ユニット２００のフレーム２２０において、フレーム底部２２１の第１面には、発光体２１０が配置される。フレーム底部２２１の第１面とは反対側の第２面には、連結金具２６０が配置される。フレーム突出部２２４は、フレーム底部２２１からフレーム底部２２１の第１面が向く方向に突出する。光源ユニット２００のカバー２３０において、透光部２３０ａは、カバー２３０の外殻の少なくとも一部を形成し、発光体２１０を覆う。カバー嵌合部２３０ｂは、透光部２３０ａの、光源ユニット２００が照明器具１００に取り付けられたときに露出する部分からカバー２３０の内側に離れた位置でフレーム突出部２２４と嵌め合わせられる。これにより、カバー２３０がフレーム２２０に固定される。【選択図】図３
2019145493.tif 000002
【特許請求の範囲】
【請求項１】
取付機構によって照明器具に取り付けて使用される光源ユニットにおいて、
発光体と、
第１面に前記発光体が配置され前記第１面とは反対側の第２面に前記取付機構が配置された支持部と、前記支持部から前記支持部の前記第１面が向く方向に突出するフレーム突出部とを有するフレームと、
カバー外殻の少なくとも一部を形成し前記発光体を覆う透光部と、前記透光部の、前記光源ユニットが前記照明器具に取り付けられたときに露出する部分からカバー内側に離れた位置で前記フレーム突出部と嵌め合わせられたカバー嵌合部とを有するカバーと
を備える光源ユニット。
【請求項２】
前記カバー嵌合部は、前記透光部と一体に形成されている請求項１に記載の光源ユニット。
【請求項３】
前記カバー嵌合部は、前記フレーム突出部を前記支持部の前記第１面が向く方向に押圧する第１押圧部と、前記フレーム突出部を前記支持部の前記第２面が向く方向に押圧する第２押圧部とを有し、
前記カバーは、前記第１押圧部と前記第２押圧部とによって前記フレーム突出部を挟み込むことで前記フレームに固定されている請求項１または２に記載の光源ユニット。
【請求項４】
前記フレーム突出部は、前記支持部の端から延びて前記支持部の前記第１面が向く方向に突出し断面視で頂点が前記第２押圧部によって押圧される第１延長部と、前記第１延長部の前記支持部につながっている第１端とは反対側の第２端から延び断面視で少なくとも１箇所が前記第１押圧部によって押圧される第２延長部とを有する請求項３に記載の光源ユニット。
【請求項５】
前記第１延長部は、前記支持部の端から断面視で曲線状に延びている請求項４に記載の光源ユニット。
【請求項６】
前記第１延長部は、前記支持部の端から断面視で折れ線状に延びている請求項４に記載の光源ユニット。
【請求項７】
前記第２延長部は、前記第２端から前記第１端に近づく方向に平板状に延びている請求項４から６のいずれか１項に記載の光源ユニット。
【請求項８】
前記フレーム突出部は、前記支持部の端から延び断面視で少なくとも１箇所が前記第１押圧部によって押圧される第１延長部と、前記第１延長部の前記支持部につながっている第１端とは反対側の第２端から延びて前記支持部の前記第１面が向く方向に突出し断面視で頂点が前記第２押圧部によって押圧される第２延長部とを有する請求項３に記載の光源ユニット。
【請求項９】
前記第２延長部は、前記第２端から断面視で曲線状に延びている請求項８に記載の光源ユニット。
【請求項１０】
前記第２延長部は、前記第２端から断面視で折れ線状に延びている請求項８に記載の光源ユニット。
【請求項１１】
前記第１延長部は、前記支持部の端から平板状に延びている請求項８から１０のいずれか１項に記載の光源ユニット。
【請求項１２】
請求項１から１１のいずれか１項に記載の光源ユニットと、
前記光源ユニットが取り付けられた照明器具と
を備える照明装置。
【発明の詳細な説明】
【技術分野】
【０００１】
本発明は、光源ユニットおよび照明装置に関するものである。
【背景技術】
【０００２】
特許文献１および特許文献２には、長尺状の光源ユニットと、光源ユニットの一部が挿入される凹部を有し、光源ユニットが着脱自在に取り付けられる器具本体とを備える照明器具が記載されている。
【０００３】
光源ユニットは、発光素子が実装された基板が取り付けられたフレームを有し、このフレームには、直流電源装置が取り付けられるとともに、カバーが嵌められる。特許文献１に記載の構成では、フレームの基板支持面から光照射方向とは逆方向に立ち上げられた突出部を使用してカバーがフレームに嵌められている。特許文献２に記載の構成では、フレームの基板支持面の両端に形成された突出部を使用してカバーがフレームに嵌められている。
【先行技術文献】
【特許文献】
【０００４】
【特許文献１】特開２０１５−１２８０７２号公報
【特許文献２】特開２０１６−０８１７７９号公報
【発明の概要】
【発明が解決しようとする課題】
【０００５】
特許文献１に記載の構成では、光源ユニットのフレームが光照射方向とは逆方向に立ち上げられた突出部を有するため、器具本体の凹部内で光源ユニットが器具内配線に干渉し、取り付け性が悪くなるおそれがある。また、光学性能に関係ないカバー固定のための材料を多く使用することになる。
【０００６】
特許文献２に記載の構成では、光源ユニットのカバーの内側面がフレームの突出部の外側面と接触するため、カバーの内側面に発光素子から照射された光が届かない領域があり、その領域では光を透過することができず、カバーの外表面に陰影が生じるおそれがある。
【０００７】
本発明は、照明器具への取り付け時に器具内配線に干渉しにくく、かつ、カバーの外表面に陰影が生じにくい光源ユニットを提供することを目的とする。
【課題を解決するための手段】
【０００８】
本発明の一態様に係る光源ユニットは、
取付機構によって照明器具に取り付けて使用され、
発光体と、
第１面に前記発光体が配置され前記第１面とは反対側の第２面に前記取付機構が配置された支持部と、前記支持部から前記支持部の前記第１面が向く方向に突出するフレーム突出部とを有するフレームと、
カバー外殻の少なくとも一部を形成し前記発光体を覆う透光部と、前記透光部の、前記光源ユニットが前記照明器具に取り付けられたときに露出する部分からカバー内側に離れた位置で前記フレーム突出部と嵌め合わせられたカバー嵌合部とを有するカバーと
を備える。
【発明の効果】
【０００９】
本発明では、カバーをフレームに固定するために設けられるフレーム突出部が、フレームの支持部から、支持部の発光体が配置された面が向く方向に突出している。また、カバーをフレームに固定するために設けられるカバー嵌合部が、カバーの透光部の、光源ユニットが照明器具に取り付けられたときに露出する部分からカバー内側に離れた位置でフレーム突出部と嵌め合わせられている。そのため、照明器具への取り付け時に器具内配線に干渉しにくく、かつ、カバーの外表面に陰影が生じにくい光源ユニットを提供することができる。
【図面の簡単な説明】
【００１０】
【図１】実施の形態１に係る照明装置の斜視図。
【図２】実施の形態１に係る照明装置の分解斜視図。
【図３】実施の形態１に係る照明装置のＡ−Ａ’断面図。
【図４】実施の形態１に係る照明器具の斜視図。
【図５】実施の形態１に係る照明器具のバネの斜視図。
【図６】実施の形態１に係る光源ユニットの斜視図。
【図７】実施の形態１に係る光源ユニットの分解斜視図。
【図８】実施の形態１に係る光源ユニットの電源装置の斜視図。
【図９】実施の形態１に係る光源ユニットの連結金具の斜視図。
【図１０】実施の形態２に係る照明装置のＡ−Ａ’断面図、および光源ユニットの電源装置の斜視図。
【図１１】実施の形態３に係る照明装置のＡ−Ａ’断面図。
【発明を実施するための形態】
【００１１】
以下、本発明の実施の形態について、図を用いて説明する。各図中、同一または相当する部分には、同一符号を付している。実施の形態の説明において、同一または相当する部分については、説明を適宜省略または簡略化する。なお、本発明は、以下に説明する実施の形態に限定されるものではなく、必要に応じて種々の変更が可能である。例えば、以下に説明する実施の形態のうち、２つ以上の実施の形態が組み合わせられて実施されても構わない。あるいは、以下に説明する実施の形態のうち、１つの実施の形態または２つ以上の実施の形態の組み合わせが部分的に実施されても構わない。
【００１２】
実施の形態１．
本実施の形態について、図１から図９を用いて説明する。
【００１３】
＊＊＊構成の説明＊＊＊
図１、図２および図３を参照して、本実施の形態に係る照明装置１の構成を説明する。
【００１４】
照明装置１は、光源ユニット２００と、光源ユニット２００が取り付けられた照明器具１００とを備えている。
【００１５】
照明器具１００は、幅寸法よりも長さ寸法が大きい長尺状である。照明器具１００の高さ寸法は、任意の寸法でよいが、本実施の形態では、照明器具１００の幅寸法よりも小さい。
【００１６】
長さ寸法とは、長さ方向Ｘの寸法のことである。幅寸法とは、幅方向Ｙの寸法のことである。本実施の形態では、長手方向が長さ方向Ｘ、短手方向が幅方向Ｙに相当する。なお、照明器具１００の長さ寸法は、照明器具１００の幅寸法と同じでもよいし、照明器具１００の幅寸法よりも小さくてもよい。
【００１７】
高さ寸法とは、高さ方向Ｚの寸法のことである。長さ方向Ｘおよび幅方向Ｙそれぞれに直交する方向が高さ方向Ｚである。本実施の形態では、照明装置１が天井に取り付けられるため、上下方向が高さ方向Ｚに相当する。照明装置１が取り付けられる天井側を上側Ｚ１とし、上側Ｚ１と反対側であり、照明装置１が光を照射する側を下側Ｚ２とする。なお、照明装置１は、壁等、天井以外の被取付部に取り付けられてもよい。
【００１８】
光源ユニット２００は、取付機構に相当する連結金具２６０によって照明器具１００に取り付けて使用される。光源ユニット２００は、着脱できないように照明器具１００に固定されていてもよいが、本実施の形態では、照明器具１００に着脱自在に取り付けられている。光源ユニット２００は、照明器具１００に取り付け可能な形状であればよいが、本実施の形態では、照明器具１００の形状にあわせて、幅寸法よりも長さ寸法が大きい長尺状になっている。なお、光源ユニット２００の長さ寸法は、光源ユニット２００の幅寸法と同じでもよいし、光源ユニット２００の幅寸法よりも小さくてもよいが、照明器具１００の長さ寸法と同じであることが望ましい。
【００１９】
照明器具１００には、光源ユニット２００の一部が収容される収容凹部１１１が形成されている。
【００２０】
図２、図３、図４および図５を参照して、照明器具１００の構成を説明する。
【００２１】
照明器具１００は、ボルト等の固定具を用いて天井等の被取付部に取り付けられる。
【００２２】
図４に示すように、照明器具１００は、取付部１１０と、側板１２０と、端子台１３０と、バネ１４０とを備えている。
【００２３】
取付部１１０には、光源ユニット２００の一部が挿入されて光源ユニット２００が取り付けられる。側板１２０は、取付部１１０の長手端部を覆っている。端子台１３０には、照明器具１００の外部から引き込まれる図示しない電源線が挿し込まれる。バネ１４０は、光源ユニット２００を保持するために使用される。
【００２４】
図４に示すように、取付部１１０は、収容凹部１１１と、鍔部１１２と、傾斜部１１３とを備えている。
【００２５】
収容凹部１１１は、長さ方向Ｘに沿って形成されている。収容凹部１１１には、光源ユニット２００が挿入される。鍔部１１２は、幅方向Ｙにおいて収容凹部１１１の両側に設けられている。傾斜部１１３も、幅方向Ｙにおいて収容凹部１１１の両側に設けられている。
【００２６】
図３および図４に示すように、収容凹部１１１は、長さ方向Ｘに沿って長尺かつ矩形板状に形成された底部１１１ａと、底部１１１ａの長手側辺それぞれから底部１１１ａと直交する方向に延出する１対の側部１１１ｂとを有する凹形状をなし、光源ユニット２００の一部を収納する。
【００２７】
収容凹部１１１の底部１１１ａと対向する位置には、光源ユニット２００が挿入される開口１１１ｃが形成されている。
【００２８】
底部１１１ａには、商用電源から電力供給を受けるための図示しない電源線を引き込むための電源引込孔１１１ａａと、固定具により照明器具１００を被取付部へ固定するための固定孔１１１ａｂとが形成されている。
【００２９】
鍔部１１２は、１対の側部１１１ｂの開口１１１ｃ側の長手側辺それぞれから互いに離れるように対に形成されている。
【００３０】
傾斜部１１３は、幅方向Ｙにおいて収容凹部１１１の両側に設けられている。傾斜部１１３は、鍔部１１２の長手側辺より、上側Ｚ１へかつ収容凹部１１１から離れるように形成されている。
【００３１】
側板１２０は、長さ方向Ｘにおける取付部１１０の両端に配設されており、収容凹部１１１と傾斜部１１３とによって形成される空洞の両端を塞いでいる。側板１２０は、収容凹部１１１と傾斜部１１３とによって形成される空洞の長さ方向Ｘの端部を塞ぐ側板本体部１２１と、側板本体部１２１の下側Ｚ２の側辺から側板本体部１２１に対して略垂直になるように突設した側板鍔部１２２とを有している。側板１２０は、側板鍔部１２２が開口１１１ｃの端部を覆うように取付部１１０に配設されており、側板鍔部１２２は鍔部１１２に併設されている。
【００３２】
図４に示すように、端子台１３０は、収容凹部１１１の底部１１１ａに固定されており、電源引込孔１１１ａａから引き込まれる図示しない電源線と接続し、商用電源から供給される電力を光源ユニット２００に供給する。端子台１３０は、直方体の箱状に形成された端子台本体部１３１と、光源ユニット２００に電気的に接続するための端子台接続部１３２とを備えている。端子台接続部１３２は、端子台電線１３２ａと、端子台電線１３２ａの先端に設けられた端子台コネクタ１３２ｂとを備えている。
【００３３】
図４に示すように、バネ１４０は、収容凹部１１１の底部１１１ａに、長さ方向Ｘに沿って対になるように２つ配設されている。バネ１４０は、光源ユニット２００を照明器具１００に取り付けるための取付機構であり、対応する取付機構である連結金具２６０に引っ掛けられる。バネ１４０は、ステンレス材料またはバネ鋼材等の弾性材料で形成されている。図５に示すように、バネ１４０は、底部１１１ａに固定されるバネ固定部１４１と、円弧形状に湾曲した板状のバネ円弧部１４２と、バネ円弧部１４２の先端に設けられ、連結金具２６０に引っ掛けられるバネ先端部１４３とを有している。対になるバネ１４０は、バネ先端部１４３が互いに反対方向を向くように底部１１１ａに配設されている。なお、バネ１４０は、板材の弾性材料を曲げて形成されてもよいし、線材の弾性材料を曲げて形成されてもよい。
【００３４】
図２、図３、図６、図７および図８を参照して、光源ユニット２００の構成を説明する。
【００３５】
光源ユニット２００は、発光体２１０と、フレーム２２０と、カバー２３０とを備えている。
【００３６】
フレーム２２０は、支持部に相当するフレーム底部２２１と、フレーム突出部２２４とを有している。
【００３７】
フレーム底部２２１の第１面には、発光体２１０が配置されている。フレーム底部２２１の第１面とは反対側の第２面には、連結金具２６０が配置されている。本実施の形態では、フレーム底部２２１の下側Ｚ２の面が第１面、フレーム底部２２１の上側Ｚ１の面が第２面に相当する。フレーム突出部２２４は、フレーム底部２２１からフレーム底部２２１の第１面が向く方向に突出している。本実施の形態では、フレーム突出部２２４は、フレーム底部２２１から下側Ｚ２に突出している。
【００３８】
フレーム２２０は、鉄、アルミニウム等の金属材料を用いて形成されており、フレーム２２０は、プレス成形、ロール成形、押出成形等によって製造される。なお、フレーム２２０は、樹脂材料等の金属材料以外の材料を用いて形成されてもよい。
【００３９】
カバー２３０は、透光部２３０ａと、カバー嵌合部２３０ｂとを有している。
【００４０】
透光部２３０ａは、カバー２３０の外殻の少なくとも一部を形成している。本実施の形態では、カバー２３０の外殻の全体が透光部２３０ａになっているが、カバー２３０の外殻の、光源ユニット２００が照明器具１００に取り付けられたときに露出する部分が透光部になっていて、残りの部分が遮光部になっていてもよい。透光部２３０ａは、発光体２１０を覆っている。カバー嵌合部２３０ｂは、透光部２３０ａと一体に形成されている。具体的には、カバー嵌合部２３０ｂは、透光部２３０ａからカバー２３０の内側に突出している。なお、カバー２３０の外殻の一部が遮光部になっている場合、カバー嵌合部２３０ｂは、遮光部と一体に形成されていてもよい。本実施の形態では、カバー嵌合部２３０ｂには、反射性を高めるために白色塗装が施されていてもよい。カバー嵌合部２３０ｂが透光部２３０ａと一体に形成されていない場合は、カバー嵌合部２３０ｂが反射性の高い材料で形成されていてもよいし、カバー嵌合部２３０ｂに白色塗装が施されていてもよい。
【００４１】
カバー２３０は、フレーム突出部２２４とカバー嵌合部２３０ｂとを嵌め合わせることでフレーム２２０に固定されている。カバー２３０はカバー嵌合部２３０ｂを弾性変形させながらフレーム２２０に取り付けられてもよいし、フレーム突出部２２４とカバー嵌合部２３０ｂとを嵌合させた状態でフレーム２２０に対して滑動するように取り付けられてもよい。
【００４２】
カバー嵌合部２３０ｂは、カバー２３０の透光部２３０ａの、光源ユニット２００が照明器具１００に取り付けられたときに露出する部分からカバー２３０の内側に離れた位置でフレーム突出部２２４と嵌め合わせられる。具体的には、カバー嵌合部２３０ｂは、後述するカバー円弧部２３１およびカバー側部２３２から離れた位置で、フレーム突出部２２４と嵌め合わせられる。これにより、フレーム２２０をカバー２３０の透光部２３０ａから離れた状態でカバー２３０の内側に配置することができる。ここで、フレーム２２０の最大幅寸法は、透光部２３０ａの内部空間の最大幅寸法よりも小さい。フレーム２２０は、透光部２３０ａの厚さ寸法以上の距離を隔ててカバー２３０の内側に配置される。
【００４３】
本実施の形態では、カバー嵌合部２３０ｂは、第１押圧部に相当する抱え部２６４と、第２押圧部に相当する内側延出部２６３とを有している。
【００４４】
抱え部２６４は、フレーム突出部２２４をフレーム底部２２１の第１面が向く方向に押圧する。すなわち、抱え部２６４は、フレーム突出部２２４を下側Ｚ２に押圧する。内側延出部２６３は、フレーム突出部２２４をフレーム底部２２１の第２面が向く方向に押圧する。すなわち、内側延出部２６３は、フレーム突出部２２４を上側Ｚ１に押圧する。
【００４５】
カバー２３０は、抱え部２６４と内側延出部２６３とによってフレーム突出部２２４を挟み込むことでフレーム２２０に固定されている。
【００４６】
本実施の形態では、フレーム突出部２２４は、第１延長部に相当する湾曲部２２２と、第２延長部に相当する折り返し部２２３とを有している。
【００４７】
湾曲部２２２は、フレーム底部２２１の端から延びてフレーム底部２２１の第１面が向く方向に突出している。具体的には、湾曲部２２２は、フレーム底部２２１の端から断面視で曲線状に延びて下側Ｚ２に突出している。湾曲部２２２は、断面視で頂点が内側延出部２６３によって押圧される。折り返し部２２３は、湾曲部２２２のフレーム底部２２１につながっている第１端とは反対側の第２端から延びている。具体的には、折り返し部２２３は、湾曲部２２２の第２端から湾曲部２２２の第１端に近づく方向に平板状に延びている。折り返し部２２３は、断面視で少なくとも１箇所が抱え部２６４によって押圧される。本実施の形態では、折り返し部２２３は、上側Ｚ１の面の略全体が抱え部２６４によって押圧される。
【００４８】
図６に示すように、光源ユニット２００は、本実施の形態では、発光体２１０と、発光体２１０が取り付けられるフレーム２２０と、発光体２１０を覆うようにフレーム２２０に取り付けられるカバー２３０とのほかに、光源ユニット２００の長さ方向Ｘの端部に配設される蓋２４０を備えている。また、図７に示すように、光源ユニット２００は、発光体２１０に点灯電力を供給する電源装置２５０と、バネ１４０が引っ掛けられる連結金具２６０とをさらに備えている。
【００４９】
図３に示すように、発光体２１０は、長さ方向Ｘに沿って長尺に形成された基板２１１と、基板２１１に長さ方向Ｘに沿って直線状に実装される複数の発光素子２１２とを備えている。発光体２１０の長さ方向Ｘの一端部には、電源装置２５０と電気的に接続するための図示しない電線が接続されている。この電線が電源装置２５０に接続されることで、発光体２１０と電源装置２５０とが電気的に接続される。なお、発光素子２１２は、本実施の形態では表面実装タイプのＬＥＤ素子であるが、ＣＯＢ型発光モジュールでもよいし、有機ＥＬ素子でもよい。
【００５０】
図３に示すように、フレーム２２０は、長さ方向Ｘに沿って長尺かつ矩形板状に形成されたフレーム底部２２１と、フレーム底部２２１の長手側辺それぞれからフレーム底部２２１と直交する方向に立ち上がり、幅方向Ｙの外側に向けてアーチ状に延びる湾曲部２２２と、湾曲部２２２の端部から幅方向Ｙの内側に向けて延びる折り返し部２２３とを有している。図７に示すように、フレーム底部２２１には、電源装置２５０を固定するための切絞り加工部４０１および絞り加工部４０２が設けられており、絞り加工部４０２の平面部にはネジ４０３を通すための丸孔が設けられている。
【００５１】
図３に示すように、カバー２３０は、発光体２１０を覆うように長尺に形成され、フレーム２２０に取り付けられている。本実施の形態では、カバー２３０は、ポリカーボネイト、アクリル等の光透過性を有する樹脂材料に光拡散性を有する材料が混合された混合材料により形成され、発光体２１０から照射される光を拡散する。このため、カバー２３０は乳白色を呈している。カバー２３０は、押出成形、射出成形等によって製造される。なお、光透過性あるいは光拡散性を有する材料としてガラスを用いてもよい。カバー２３０は、カバー円弧部２３１と、カバー側部２３２と、内側延出部２６３と、抱え部２６４とを有している。カバー円弧部２３１は、断面視円弧形状であり、発光体２１０を覆っている外郭の主要部を形成している。カバー側部２３２は、カバー円弧部２３１の各端部より高さ方向Ｚに沿って延びるように設けられている。カバー２３０は、内側延出部２６３によってフレーム２２０の湾曲部２２２を支えながら、フレーム２２０の折り返し部２２３が断面視Ｌ字状の抱え部２６４に嵌め込まれることで、フレーム２２０に固定されている。内側延出部２６３は、カバー側部２３２から離間した位置で形成されている。
【００５２】
本実施の形態では、フレーム突出部２２４の突出方向を光照射方向とすることにより、カバー２３０をフレーム２２０に固定するための構造物を収容凹部１１１内に入り込ませずに済み、収容凹部１１１内の空間を広く確保できるため、光源ユニット２００が器具内配線に干渉しにくくなり、取り付け性が向上する。
【００５３】
また、内側延出部２６３をカバー側部２３２から離間した位置で形成することにより、発光素子２１２から照射された光がカバー側部２３２に照射されるため、カバー２３０の外表面に陰影が生じにくくなり、見栄えを確保することができる。
【００５４】
また、内側延出部２６３をカバー側部２３２から離間した位置で形成することにより、フレーム２２０の加工前の素材幅を抑制できるため、材料費および重量を抑制することができる。
【００５５】
なお、湾曲部２２２のＲ形状はフレーム２２０の剛性にも寄与しているため、Ｒ４ｍｍから６ｍｍ程度で形成することが好ましい。
【００５６】
図６および図７に示すように、蓋２４０は、光源ユニット２００の長さ方向Ｘにおける端部に設けられ、カバー２３０の長さ方向Ｘの両端にある開口を塞ぐとともに、発光体２１０が照射する光を長さ方向Ｘへ配光する。蓋２４０は、ポリカーボネイト、アクリル等の光透過性を有する樹脂材料に光拡散性を有する材料が混合された混合材料により形成されており、発光体２１０から照射される光を拡散する。このため、蓋２４０は乳白色を呈している。蓋２４０は、カバー２３０と接着または熱溶着等の手法により接合されている。蓋２４０は、カバー２３０の端部に設けられており、光源ユニット２００の長さ方向Ｘにおける端部となる蓋端面部２４１と、蓋２４０の側面を形成する蓋側面部２４２とを有している。なお、光透過性あるいは光拡散性を有する材料としてガラスを用いてもよい。
【００５７】
図６および図７に示すように、電源装置２５０は、フレーム底部２２１の発光体２１０が取り付けられた面の反対側の面にネジ等の固定具を用いて固定される。電源装置２５０は、商用電源から端子台１３０を介して入力される電力を発光体２１０に供給し、発光体２１０を点灯させる。電源装置２５０は、図示しない電源回路が内蔵された長尺状の電源本体部２５１と、端子台接続部１３２と接続する電源接続部２５２とを備えている。電源接続部２５２は、電源電線２５２ａと、電源電線２５２ａの先端に設けられ、端子台コネクタ１３２ｂと接続する電源コネクタ２５２ｂとを備えている。
【００５８】
そして、図８に示すように、電源本体部２５１は、電源装置２５０の短手方向の外側に張り出すように形成された電源張り出し部２５１０を有する。本実施の形態では、電源張り出し部２５１０は電源本体部２５１の一部を切り起こした切り起こし片として形成される。本実施の形態では、電源本体部２５１は本体基部２５１１と本体蓋部２５１２とによって構成されており、電源張り出し部２５１０は本体基部２５１１の一部を切り起こして形成される。本実施の形態では、電源張り出し部２５１０は矩形の舌状の平板である。電源張り出し部２５１０は、電源装置２５０の長手方向の両端部の両側に形成されている。
図３に示すように、カバー２３０の抱え部２６４は、先端側を折り返し部２２３の側に屈曲させた屈曲部２６４１を有している。本実施の形態では、屈曲部２６４１は抱え部２６４の先端を直角に折り曲げた平板部分である。
図３に示すように、電源装置２５０がフレーム底部２２１に固定された状態で、電源張り出し部２５１０は抱え部２６４と対向し、抱え部２６４を間にして折り返し部２２３と反対側に配置される。電源張り出し部２５１０は、カバー外れ防止部として機能する。
本実施の形態では、カバー２３０の抱え部２６４は、フレーム２２０の折り返し部２２３と電源張り出し部２５１０とに挟まれており、かつ、抱え部２６４の屈曲部２６４１はフレーム２２０の折り返し部２２３の端面の内側に配置されている。
フレーム２２０が変形してフレーム２２０の折り返し部２２３が短手方向の外側に変形しようとすると、フレーム２２０の折り返し部２２３の端面が抱え部２６４の屈曲部２６４１に当たり、フレーム２２０の折り返し部２２３が短手方向の外側に変形または移動することを制限している。したがって、カバー２３０がフレーム２２０から外れることがない。
【００５９】
電源張り出し部２５１０は、電源本体部２５１の１箇所に形成されてもよいし複数箇所に形成されてもよい。また、電源張り出し部２５１０は、電源装置２５０の短手方向におけるいずれかの外側に張り出すように形成されてもよいし、両方の外側に張り出すように形成されてもよい。電源張り出し部２５１０は本体蓋部２５１２に形成されてもよい。
【００６０】
なお、フレーム２２０に対して電源装置２５０を取り付けた後にカバー２３０を取り付ける場合には、カバー２３０をフレーム２２０に対して長手方向に沿って滑動させるように取り付けることが好ましい。
【００６１】
図９の（ａ）は、連結金具２６０がフレーム２２０に取り付けられる前の状態を示す斜視図であり、図９の（ｂ）は、連結金具２６０がフレーム２２０に取り付けられた後の状態を示す斜視図である。
図９の（ａ），（ｂ）に示すように、連結金具２６０は、断面視略Ｌ形状である。連結金具２６０は、金具固定部２６１およびバネ連結部２６２を備えている。連結金具２６０は、光源ユニット２００を照明器具１００に取り付けるための取付機構であり、対応する取付機構であるバネ１４０が引っ掛けられる。金具固定部２６１は、フレーム底部２２１に形成された切り起こし部２２８に対してネジ４０３等の固定具を用いて固定されている。バネ連結部２６２には、バネ１４０が引っ掛けられる連結開口部２６２ａが形成されている。この連結開口部２６２ａにバネ１４０のバネ円弧部１４２が引っ掛かることで、光源ユニット２００が照明器具１００に固定される。
【００６２】
連結金具２６０は、バネ連結部２６２の短手方向における外側に張り出すように形成された金具張り出し部２６７を有する。本実施の形態では、バネ連結部２６２と金具張り出し部２６７とは金具接続部２６８を介して一体に形成されている。
連結金具２６０がフレーム底部２２１に固定された状態で、金具張り出し部２６７は抱え部２６４と対向し、抱え部２６４を間にして折り返し部２２３と反対側に配置される。
金具張り出し部２６７は、照明装置のＡ−Ａ’断面において、電源張り出し部２５１０と同様の形状で、図３に示す照明装置のＡ−Ａ’断面図において、電源張り出し部２５１０と同じ位置に配置される。したがって、前述した電源張り出し部２５１０に関する説明は、金具張り出し部２６７にもあてはまり、金具張り出し部２６７は、カバー外れ防止部として機能する。
本実施の形態では、長手方向に電源張り出し部２５１０が２か所あり、金具張り出し部２６７が２か所あるので、長手方向に合計４か所のカバー外れ防止部を配置している。
カバー外れ防止部は、長手方向の両端部の両側にあることが好ましく、さらに、長手方向の中央部の両側にあることが好ましい。また、複数のカバー外れ防止部が長手方向に均等に配置されていることが好ましい。
【００６３】
金具張り出し部２６７は、複数の連結金具２６０の両方に形成されてもよいしいずれかにに形成されてもよい。また、金具張り出し部２６７は、連結金具２６０の短手方向におけるいずれかの外側に張り出すように形成されてもよいし、両方の外側に張り出すように形成されてもよい。
【００６４】
なお、フレーム２２０に対して連結金具２６０を取り付けた後にカバー２３０を取り付ける場合には、カバー２３０をフレーム２２０に対して長手方向に沿って滑動させるように取り付けることが好ましい。
【００６５】
光源ユニット２００の照明器具１００への装着方法を説明する。
【００６６】
まず、照明器具１００のバネ１４０のバネ先端部１４３が、光源ユニット２００の連結金具２６０の連結開口部２６２ａに引っ掛けられる。
【００６７】
次に、光源ユニット２００が照明器具１００側へ押し込まれることで、光源ユニット２００の一部が照明器具１００の開口１１１ｃに挿入される。このとき、バネ１４０のバネ円弧部１４２が連結金具２６０の連結開口部２６２ａの縁部で摺動しながら、連結金具２６０のバネ連結部２６２の先端部分が照明器具１００の底部１１１ａに当たるまで、光源ユニット２００が押し込まれる。これにより、光源ユニット２００が照明器具１００に固定される。
【００６８】
＊＊＊実施の形態の効果の説明＊＊＊
本実施の形態では、カバー２３０をフレーム２２０に固定するために設けられるフレーム突出部２２４が、フレーム２２０の支持部から、支持部の発光体２１０が配置された面が向く方向に突出している。また、カバー２３０をフレーム２２０に固定するために設けられるカバー嵌合部２３０ｂが、カバー２３０の透光部２３０ａの、光源ユニット２００が照明器具１００に取り付けられたときに露出する部分からカバー２３０の内側に離れた位置でフレーム突出部２２４と嵌め合わせられている。そのため、照明器具１００への取り付け時に器具内配線に干渉しにくく、かつ、カバーの外表面に陰影が生じにくい光源ユニット２００を提供することができる。
【００６９】
本実施の形態では、光学性の影響が少なく、省スペースかつ安価にカバー２３０をフレーム２２０に固定できる光源ユニット２００を提供することができる。
【００７０】
本実施の形態では、カバー２３０がフレーム２２０に確実に固定され、カバー２３０がフレーム２２０から外れることを防止する光源ユニット２００を提供することができる。
【００７１】
上記のような効果を得るための構成として、本実施の形態に係る光源ユニットは、
一面の側に発光部が配置され、前記発光部が配置されていない領域から前記一面の反対である他面の側よりも前記発光部の光が照射する側に突出して形成されている第１突出部を有する支持部と、
前記発光部を覆うように配置され前記光が透過可能な透光部と前記透光部から前記発光部の側に突出して形成された第２突出部とを有する外殻部と
を備え、
前記支持部は、前記透光部から離間した位置で第１突出部に第２突出部が係合した状態で外郭部に取り付けられている。
【００７２】
前記外殻部が前記支持部に取り付けられている状態で、
前記第１突出部は、
前記第２突出部と面接触しないように係合している。
【００７３】
前記第１突出部は前記光が照射する側に面した第１面部を有しており、
前記第２突出部は前記第１面部と対向する第２面部を有しており、
前記外殻部が前記支持部に取り付けられている状態で、
前記第１突出部は、前記第１面部の一部が前記第２面部に当接した状態で、前記第２突出部と係合している。
【００７４】
前記第１面部は、第１曲率で突出して形成されている。
【００７５】
前記第２面部は、前記第１曲率よりも大きい第２曲率で窪ませて形成されている。
【００７６】
＊＊＊他の構成＊＊＊
フレーム突出部２２４は、図３に示すような湾曲部２２２の代わりに、フレーム底部２２１の端から断面視で折れ線状に延びてフレーム底部２２１の第１面が向く方向に突出する折れ曲がり部を有していてもよい。この折れ曲がり部は、湾曲部２２２と同様に、第１延長部に相当し、断面視で頂点が内側延出部２６３によって押圧される。
【００７７】
内側延出部２６３によって押圧される頂点は、本実施の形態では１つの内側延出部２６３につき１つしかないが、１つの内側延出部２６３に対して２つ以上あってもよい。また、内側延出部２６３によって押圧される頂点は、内側延出部２６３との接触面積を一定以上確保できるように平坦になっていてもよい。
【００７８】
電源張り出し部２５１０は、電源本体部２５１と一体の構成として説明したが、これに限らず、電源本体部２５１に別の部品を取り付ける等の構成としてもよい。また、金具張り出し部２６７は、連結金具２６０と一体の構成として説明したが、これに限らず、連結金具２６０に別の部品を取り付ける等の構成としてもよい。
【００７９】
実施の形態２．
本実施の形態について、主に実施の形態１との差異を、図１０を用いて説明する。
図１０の（ａ）は、本実施の形態に係る照明装置１のＡ−Ａ’断面図である。
図１０の（ｂ）は、本実施の形態に係る電源装置２５０の斜視図である。
【００８０】
図１０の（ａ），（ｂ）を参照して、本実施の形態に係る光源ユニット２００の構成を説明する。
【００８１】
本実施の形態では、カバー２３０をフレーム２２０に固定するための構造およびカバー２３０がフレーム２２０から外れることを防止する構造が実施の形態１のものと異なる。
【００８２】
実施の形態１では、図３に示したように、カバー嵌合部２３０ｂは、第１押圧部に相当する抱え部２６４と、第２押圧部に相当する内側延出部２６３とを有している。これに対し、本実施の形態では、図１０の（ａ）に示すように、カバー嵌合部２３０ｂは、抱え部２６４の代わりに第１押圧部に相当する内側延出部２６６と、内側延出部２６３の代わりに第２押圧部に相当する抱え部２６５とを有している。
【００８３】
内側延出部２６６は、フレーム突出部２２４をフレーム底部２２１の第１面が向く方向に押圧する。すなわち、内側延出部２６６は、フレーム突出部２２４を下側Ｚ２に押圧する。抱え部２６５は、フレーム突出部２２４をフレーム底部２２１の第２面が向く方向に押圧する。すなわち、抱え部２６５は、フレーム突出部２２４を上側Ｚ１に押圧する。
【００８４】
カバー２３０は、内側延出部２６６と抱え部２６５とによってフレーム突出部２２４を挟み込むことでフレーム２２０に固定されている。
【００８５】
実施の形態１では、図３に示したように、フレーム突出部２２４は、第１延長部に相当する湾曲部２２２と、第２延長部に相当する折り返し部２２３とを有している。これに対し、本実施の形態では、図１０の（ａ）に示すように、フレーム突出部２２４は、第１延長部に相当する平板部２２５と、第２延長部に相当する湾曲部２２６とを有している。
【００８６】
平板部２２５は、フレーム底部２２１の端から延びている。具体的には、平板部２２５は、フレーム底部２２１の端から平板状に延びている。平板部２２５は、断面視で少なくとも１箇所が内側延出部２６６によって押圧される。湾曲部２２６は、平板部２２５のフレーム底部２２１につながっている第１端とは反対側の第２端から延びてフレーム底部２２１の第１面が向く方向に突出している。具体的には、湾曲部２２６は、平板部２２５の第２端から断面視で曲線状に延びて下側Ｚ２に突出している。湾曲部２２６は、断面視で頂点が抱え部２６５によって押圧される。
【００８７】
そして、本実施の形態では、図１０の（ａ），（ｂ）に示すように、電源本体部２５１は、電源装置２５０の短手方向の外側に張り出すように形成された電源張り出し部２５１０を有する。電源張り出し部２５１０は電源本体部２５１の一部を切り折り曲げた折り曲げ片として形成される。本実施の形態では、電源本体部２５１は本体基部２５１１と本体蓋部２５１２とによって構成されており、電源張り出し部２５１０は本体蓋部２５１２の一部を折り曲げて形成される。電源張り出し部２５１０は本体基部２５１１に形成されてもよい。
【００８８】
図１０の（ｂ）に示すように、電源張り出し部２５１０は、先端側をカバー２３０の内側延出部２６６の側に屈曲させた屈曲部２５１３を有している。本実施の形態では、屈曲部２５１３は電源張り出し部２５１０の先端を直角に折り曲げた平板である。
図１０の（ａ）に示すように、内側延出部２６６は、先端側を電源張り出し部２５１０の側に屈曲させた屈曲部２６６１を有している。本実施の形態では、屈曲部２６６１は内側延出部２６６の先端を直角または弧状に折り曲げた平板部分である。
電源装置２５０がフレーム底部２２１に固定された状態で、電源張り出し部２５１０の屈曲部２５１３はカバー２３０の内側延出部２６６の屈曲部２６６１と係合し、内側延出部２６６を間にして平板部２２５の反対側に配置される。電源張り出し部２５１０は、カバー外れ防止部として機能する。
本実施の形態では、カバー２３０の内側延出部２６６の屈曲部２６６１は、平板部２２５と電源張り出し部２５１０との挟まれており、かつ、電源張り出し部２５１０の屈曲部２５１３はカバー２３０の内側延出部２６６の屈曲部２６６１の外側に配置されている。
電源張り出し部２５１０の屈曲部２５１３がカバー２３０の内側延出部２６６の屈曲部２６６１が外側に変形または移動することを制限しているので、カバー２３０がフレーム２２０から外れることがない。
【００８９】
図示は省略するが、連結金具２６０は、屈曲部２５１３と同様の係合構造が形成された金具張り出し部２６７を有してもよい。すなわち、金具張り出し部２６７は、先端側をカバー２３０の内側延出部２６６の側に屈曲させた屈曲部を有している。金具張り出し部２６７の屈曲部は金具張り出し部２６７の先端を直角に折り曲げた平板である。
金具張り出し部２６７は、照明装置のＡ−Ａ’断面において、電源張り出し部２５１０と同様の形状であり、図１０の（ａ）に示す照明装置のＡ−Ａ’断面図において、電源張り出し部２５１０と同じ位置に配置される。
図１０に基づく電源張り出し部２５１０と電源張り出し部２５１０の屈曲部２５１３とに関する説明は、金具張り出し部２６７と金具張り出し部２６７の屈曲部とにもあてはまり、金具張り出し部２６７は、カバー外れ防止部として機能する。
【００９０】
本実施の形態では、実施の形態１と同様の効果が得られる。そのための構成として、本実施の形態では、前記第１面部および前記第２面部のいずれか一方は、平面状に形成されている。そして、カバー２３０の内側延出部２６６と係合する構成として、電源張り出し部２５１０或いは金具張り出し部２６７は屈曲部を有している。
【００９１】
実施の形態３．
本実施の形態について、主に実施の形態２との差異を、図１１を用いて説明する。
【００９２】
図１１を参照して、本実施の形態に係る光源ユニット２００の構成を説明する。
【００９３】
本実施の形態では、図１１に示すように、フレーム突出部２２４は、湾曲部２２６の代わりに第２延長部に相当する折れ曲がり部２２７を有している。
【００９４】
折れ曲がり部２２７は、平板部２２５のフレーム底部２２１につながっている第１端とは反対側の第２端から延びてフレーム底部２２１の第１面が向く方向に突出している。具体的には、折れ曲がり部２２７は、平板部２２５の第２端から断面視で折れ線状に延びて下側Ｚ２に突出している。折れ曲がり部２２７は、断面視で頂点が抱え部２６５によって押圧される。
【００９５】
本実施の形態では、実施の形態１および実施の形態２と同様の効果が得られるほか、折れ曲がり部２２７の最終辺が、発光素子２１２からの光を反射させる効果が得られる。
【符号の説明】
【００９６】
１  照明装置、１００  照明器具、１１０  取付部、１１１  収容凹部、１１１ａ  底部、１１１ａａ  電源引込孔、１１１ａｂ  固定孔、１１１ｂ  側部、１１１ｃ  開口、１１２  鍔部、１１３  傾斜部、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００  光源ユニット、２１０  発光体、２１１  基板、２１２  発光素子、２２０  フレーム、２２１  フレーム底部、２２２  湾曲部、２２３  折り返し部、２２４  フレーム突出部、２２５  平板部、２２６  湾曲部、２２７  折れ曲がり部、２２８  切り起こし部、２３０  カバー、２３０ａ  透光部、２３０ｂ  カバー嵌合部、２３１  カバー円弧部、２３２  カバー側部、２４０  蓋、２４１  蓋端面部、２４２  蓋側面部、２５０  電源装置、２５１  電源本体部、２５１０  電源張り出し部、２５１１  本体基部、２５１２  本体蓋部、２５１３  屈曲部、２５２  電源接続部、２５２ａ  電源電線、２５２ｂ  電源コネクタ、２６０  連結金具、２６１  金具固定部、２６２  バネ連結部、２６２ａ  連結開口部、２６３  内側延出部、２６４  抱え部、２６４１  屈曲部、２６５  抱え部、２６６  内側延出部、２６６１  屈曲部、２６７  金具張り出し部、２６８  金具接続部、４０１  切絞り加工部、４０２  絞り加工部、４０３  ネジ、Ｘ  長さ方向、Ｙ  幅方向、Ｚ  高さ方向、Ｚ１  上側、Ｚ２  下側。
【図１】
2019145493.tif 000003
【図２】
2019145493.tif 000004
【図３】
2019145493.tif 000005
【図４】
2019145493.tif 000006
【図５】
2019145493.tif 000007
【図６】
2019145493.tif 000008
【図７】
2019145493.tif 000009
【図８】
2019145493.tif 000010
【図９】
2019145493.tif 000011
【図１０】
2019145493.tif 000012
【図１１】
2019145493.tif 000013